(57)【要約】【課題】省スペース化を図りつつ、耐久性を高めることができる移動距離測定装置を提供する。【解決手段】第１レンズ群保持枠移動距離測定装置５は、第１エンコーダースケール５１と、第１光センサ５２と、第１インタラプター５３と、制御部とを備えている。そして、第１エンコーダースケール５１は、第１レンズ群保持枠１１のスライド移動に伴ってスライド移動するように構成されている。また、第２レンズ群保持枠移動距離測定装置６は、第２エンコーダースケール６１と、第２光センサ６２と、第２インタラプター６３と、制御部とを備えている。そして、第２エンコーダースケール６１は、第２レンズ群保持枠１２のスライド移動に伴ってスライド移動するように構成されている。【選択図】図３
2008164502.tif 000002
【特許請求の範囲】
【請求項１】
駆動手段により被駆動物をスライド移動させる際の移動距離をエンコーダースケール及び検出手段を用いて測定する移動距離測定装置であって、
前記エンコーダスケールは、前記被駆動物の移動軌道の側方で当該移動軌道に平行に配置され、且つ、前記被駆動物のスライド移動に伴ってスライド移動し、
前記検出手段は、スライド移動する当該エンコーダースケールを用いて、前記被駆動物の移動距離を検出するように構成されたことを特徴とする移動距離測定装置。
【請求項２】
前記エンコーダスケールは、前記被駆動物の移動距離を測定するための板状のスケール面を備え、当該スケール面は、照射された光を反射するように構成され、且つ、前記被駆動物の移動距離の測定精度に応じたピッチの縦縞模様を有し、
前記検出手段は、光学的検出手段からなり、当該光学的検出手段は、前記エンコーダースケールのスケール面に光を照射する発光部と、その光の反射光を受ける受光部とを備えたことを特徴とする請求項１に記載の移動距離測定装置。
【請求項３】
前記被駆動物は、撮像装置用のレンズ群であって、前記エンコーダースケール及び前記検出手段は、当該レンズ群の移動距離を測定するために用いられることを特徴とする請求項１又は請求項２に記載の移動距離測定装置。
【発明の詳細な説明】
【技術分野】
【０００１】
本件発明は、例えば、撮像装置用のレンズ群の移動距離を、エンコーダースケール及び検出手段を用いて測定する移動距離測定装置に関する。
【背景技術】
【０００２】
従来より、デジタルカメラ等の撮像装置においては、レンズ群が光軸方向に移動する方式が多く採用されている。レンズ群は、一般的にレンズ群保持枠で保持されている。そして、レンズ群保持枠が、筺体に設けられたガイド部材により、光軸に沿ってスライド移動するように配置されている。
【０００３】
また、このような撮像装置には、レンズ群保持枠を駆動するためにレンズ駆動装置が搭載されている。このレンズ駆動装置においては、オートフォーカス機能によってピント調整を行う際に、レンズ群の位置を精度良く検出することが要求されている。このため、レンズ駆動装置には、レンズ群の移動距離を測定するために、レンズ群保持枠移動距離測定装置が設けられている（例えば、特許文献１参照）。
【０００４】
このレンズ群保持枠距離測定装置は、エンコード板（エンコーダースケール）と、光電センサ（検出手段）と、レンズ位置制御部とを備えている。光電センサは、レンズ群保持枠に設けられている。また、エンコーダースケールは、光電センサの側方に、光軸と平行に配置されている。また、レンズ位置制御部は、光電センサに接続されている。
【０００５】
この移動距離測定装置によるレンズ群の移動距離の測定方法を以下に説明する。レンズ群保持枠が移動すると、光電センサは、投光部からエンコーダースケールに赤外線光を照射する。エンコーダスケールに照射された赤外線光は反射して、光電センサの受光部で受ける。光電センサは、反射された赤外線光の変化に基づき、レンズ位置制御部に検出信号を送る。レンズ位置制御部は、光電センサから送られた検出信号からレンズ群保持枠の移動距離を求め、このレンズ群保持枠の移動距離をレンズ群の移動距離として得ている。
【０００６】
【特許文献１】特開２００６−１１９５７０号公報
【発明の開示】
【発明が解決しようとする課題】
【０００７】
しかしながら、特許文献１に記載された移動距離測定装置では、光電センサがレンズ群保持枠に設けられている。一方、レンズ位置制御部は、一般的にレンズ群保持枠（レンズ鏡筒）から離れて設けられている。したがって、光電センサとレンズ位置制御部とを繋ぐ配線の長さが長くなる。このため、この配線を他の配線と絡まないようにするために、配線の設置スペースを大きく設定しなければならない。その結果、レンズ駆動装置及び撮像装置が大型化してしまう。
【０００８】
また、レンズ群保持枠は、移動中にがたついて振動することがある。このため、光電センサは、レンズ群保持枠の振動を直接受けてしまう。したがって、この移動距離測定装置では、長期間使用すると光電センサが故障するおそれが大きかった。
【０００９】
本件発明は、かかる従来の課題に鑑みてなされたものであり、省スペース化を図りつつ、耐久性を高めることができる移動距離測定装置を提供することを目的とする。
【課題を解決するための手段】
【００１０】
そこで、本件発明者等は、鋭意研究の結果、前記課題を解決するために以下のような移動距離測定装置を採用した。
【００１１】
本件発明の移動距離測定装置は、駆動手段により被駆動物をスライド移動させる際の移動距離をエンコーダースケール及び検出手段を用いて測定する移動距離測定装置であって、前記エンコーダスケールは、前記被駆動物の移動軌道の側方で当該移動軌道に平行に配置され、且つ、前記被駆動物のスライド移動に伴ってスライド移動し、前記検出手段は、スライド移動する当該エンコーダースケールを用いて、前記被駆動物の移動距離を検出するように構成されたことを特徴としている。
【００１２】
かかる構成において、本件発明の移動距離測定装置は、検出手段の位置を固定させることが可能になる。言い換えると、本件発明の移動距離測定装置は、移動する部材に検出手段を設ける必要がない。このため、本件発明の移動距離測定装置は、検出手段と制御部とを繋ぐ配線の長さを抑えることができる。また、検出手段は、移動する部材からの振動の影響を受けない。このため、本件発明の移動距離測定装置は、長期間使用しても光学的検出手段が故障するおそれが少ない。
【００１３】
また、本件発明の移動距離測定装置は、前記エンコーダスケールは、前記被駆動物の移動距離を測定するための板状のスケール面を備え、当該スケール面は、照射された光を反射するように構成され、且つ、前記被駆動物の移動距離の測定精度に応じたピッチの縦縞模様を有し、前記検出手段は、光学的検出手段からなり、当該光学的検出手段は、前記エンコーダースケールのスケール面に光を照射する発光部と、その光の反射光を受ける受光部とを備えたことを特徴としている。
【００１４】
かかる構成において、本件発明の移動距離測定装置は、光学的検出手段の位置を固定させることが可能になる。言い換えると、本件発明の移動距離測定装置は、移動する部材に光学的検出手段を設ける必要がない。このため、本件発明の移動距離測定装置は、光学的検出手段と制御部とを繋ぐ配線の長さを抑えることができ、長期間使用しても光学的検出手段が故障するおそれが少ない。
【００１５】
また、本件発明の移動距離測定装置は、前記被駆動物は、撮像装置用のレンズ群であって、前記エンコーダースケール及び前記検出手段は、当該レンズ群の移動距離を測定するために用いられることを特徴としている。
【００１６】
かかる構成において、本件発明の移動距離測定装置は、レンズ群枠のような移動する部材に検出手段を設ける必要がない。このため、本件発明の移動距離測定装置は、レンズ駆動装置に設けても、検出手段と制御部とを繋ぐ配線の長さを抑えることができ、長期間使用しても検出手段が故障するおそれが少ない。
【発明の効果】
【００１７】
本件発明の移動距離測定装置では、被駆動物の移動距離を、エンコーダースケールをスライド移動させながら測定するようにした。これにより、本件発明の移動距離測定装置は、移動する部材に検出手段を設ける必要がないので、検出手段と制御部とを繋ぐ配線の長さを抑えることができる。よって、本件発明の移動距離測定装置は、省スペース化を図ることができる。また、本件発明の移動距離測定装置は、検出手段が振動の影響を受けないため、長期間使用しても検出手段が故障するおそれが少ない。よって、本件発明の移動距離測定装置は、耐久性を高めることができる。
【００１８】
また、本件発明の移動距離測定装置では、検出手段を光学的検出手段から構成し、エンコーダスケールを、当該光学的検出手段で被駆動物の移動距離が検出されるように構成した。この場合でも、本件発明の移動距離測定装置は、移動する部材に光学的検出手段を設ける必要がないので、省スペース化を図ることができ、且つ、耐久性を高めることができる。
【００１９】
また、本件発明の移動距離測定装置は、レンズ群の移動距離を測定するために用いるものとした。したがって、本件発明の移動距離測定装置は、レンズ駆動装置に使用しても、レンズ群枠のような移動する部材に検出手段を設ける必要がない。よって、本件発明の移動距離測定装置は、レンズ駆動装置及び撮像装置の小型化を図ることができ、且つ、その耐久性を高めることができる。
【発明を実施するための最良の形態】
【００２０】
以下、本発明の実施の形態を図にしたがって説明する。
図１は、本件発明の一実施の形態を示す携帯電話１０１の外観図である。この携帯電話１０１は、カメラ機能を備えた携帯電話であり、カメラモジュール１０２を備えている。このカメラモジュール１０２は、箱形に形成されたケース１１０と、このケース１１０内に配設されたレンズユニットと、撮像素子（ＣＣＤ）とを備えている。そして、このカメラモジュール１０２は、ユーザーの操作に応じて、被写体の反射光を撮像素子により結像させて電気信号に変換し、この電気信号をＡ／Ｄコンバーターなどに出力するように構成されている。
【００２１】
図２は、レンズユニット１０の斜視図である。このレンズユニット１０は、第１レンズ群保持枠１１と、第２レンズ群保持枠１２と、レンズ駆動装置１とを備えている。
【００２２】
第１レンズ群保持枠１１及び第２レンズ群保持枠１２は、光軸Ｌに沿って直列に配置されている。そして、第１レンズ群保持枠１１は、前方側（被写体側）に配置されている。この第１レンズ群保持枠１１は、内側に第１レンズ群（図示せず）が保持されるように構成されている。
【００２３】
また、第１レンズ群保持枠１１の外周部１１１には、第１ガイド部材１３が結合されている。この第１ガイド部材１３は、筒型に形成されており、光軸Ｌと平行に配置されている。また、第１レンズ群保持枠１１には、第１回転防止軸用支持部１１２が設けられている。この第１回転防止軸用支持部１１２は、被写体側（または結像側）から視てＵ字状に形成されている。
【００２４】
一方、第２レンズ群保持枠１２は、後方側（結像側）に配置されている。この第２レンズ群保持枠１２は、内側に第２レンズ群（図示せず）が保持されるように構成されている。
【００２５】
また、第２レンズ群保持枠１２の後方側（結像側）には、支持部材１４が結合されている。この支持部材１４は、第２レンズ群保持枠１２が第１レンズ群保持枠１１と共に直列に配置されるように、第２レンズ群保持枠１２を支持する部材である。
【００２６】
また、支持部材１４には、第２ガイド部材１５が結合されている。この第２ガイド部材１５は、筒型に形成されており、光軸Ｌと平行に配置されている。また、支持部材１４には、第２回転防止軸用支持部１４２が設けられている。この第２回転防止軸用支持部１４２は、被写体側（または結像側）から視てＵ字状に形成されている。
【００２７】
そして、レンズ駆動装置１は、第１レンズ群保持枠１１と第２レンズ群保持枠１２とを、それぞれ独立的に駆動するものである。このレンズ駆動装置１は、レンズ群保持枠の移動軌道Ｔの外周領域の右側に配置されている。この移動軌道Ｔは、第１レンズ群保持枠１１及び第２レンズ群保持枠１２が光軸Ｌに沿って移動する円筒状の軌道である。
【００２８】
そして、このレンズ駆動装置１は、第１レンズ群保持枠駆動装置２と、第２レンズ群保持枠駆動装置３と、回転防止軸４と、第１レンズ群保持枠移動距離測定装置５と、第２レンズ群保持枠移動距離測定装置６とを備えている。
【００２９】
回転防止軸４は、双方のレンズ群保持枠１１、１２が光軸方向Ａにスライド移動する際に、双方のレンズ群保持枠１１、１２の回転を防止する部材である。この回転防止軸４は、双方のレンズ群保持枠１１、１２の回転防止軸用支持部１１２、１４２に支持されている。
【００３０】
そして、第１レンズ群保持枠駆動装置２は、第１レンズ群保持枠１１を駆動する装置である。この第１レンズ群保持枠駆動装置２は、図２に示すように、第１ガイドポール２０と、第１駆動手段２１と、第１フレキシブルプリント配線板２２とを備えている。
【００３１】
第１ガイドポール２０は、第１レンズ群保持枠１１を光軸方向Ａに移動可能に支持する部材である。この第１ガイドポール２０は、細長い丸棒状に形成されている。そして、この第１ガイドポール２０は、第１ガイド部材１３に挿通して、光軸Ｌと平行に配置されている。また、この第１ガイドポール２０には、第１ガイド部材１３よりも被写体側に、スプリング２０ａが挿通されている。このスプリング２０ａは、第１レンズ群保持枠１１を常に結像側に付勢するように構成されている。
【００３２】
一方、第１駆動手段２１は、第１ピエゾモーター２３と、第１ピエゾモーター保持部材２４とを備えている。第１ピエゾモーター２３は、リードスクリュー２３１と、ナット２３２と、四枚のピエゾ素子２３３とを備えている。
【００３３】
リードスクリュー２３１は、光軸Ｌと平行に配置されている。また、ナット２３２は、リードスクリュー２３１に螺合されている。また、四枚のピエゾ素子２３３は、ナット２３２の外周部に設けられている。
【００３４】
また、第１ピエゾモーター保持部材２４は、第１ピエゾモーター２３から出力される駆動力を利用して、第１レンズ群保持枠１１を移動させる部材である。この第１ピエゾモーター保持部材２４は、第１レンズ群保持枠１１の外周部１１１に結合されている。
【００３５】
そして、この第１ピエゾモーター保持部材２４は、光軸方向Ａに長く形成されている。さらに、この第１ピエゾモーター保持部材２４は、被写体側（または結像側）から視て略凹字状に形成されている。そして、第１ピエゾモーター保持部材２４の内部には、第１ピエゾモーター２３が収容されて固定されている。具体的には、第１ピエゾモーター保持部材２４の内壁面２４ａに、第１ピエゾモーター２３の各ピエゾ素子２３３を介してナット２３２が固定されている。
【００３６】
また、図３に示すように、この第１ピエゾモーター保持部材２４の右側面には、第１エンコーダースケール５１が設けられている。この第１エンコーダースケール５１は、第１レンズ群保持枠１１（第１レンズ群）の移動距離を測定するために使用されるものである。
【００３７】
そして、この第１エンコーダースケール５１は、移動軌道Ｔ（光軸Ｌ）に平行に配置されている。この第１エンコーダースケール５１の右側には、板状のスケール面５１ａが貼着されている。このスケール面５１ａは、移動軌道Ｔと平行になるように前後に延在している。また、スケール面５１ａの前後方向の長さは、第１レンズ群保持枠１１（第１レンズ群）の移動距離よりも長く設定されている。また、このスケール面５１ａは、照射された光を反射するように構成されている。具体的には、このスケール面５１ａは、白黒の縦縞模様（白黒の反射パターン）を有している。この縦縞模様のピッチは、第１レンズ群保持枠１１の移動距離の測定精度に応じて設定されている。
【００３８】
そして、第１フレキシブルプリント配線板２２は、第１ピエゾモーター２３に駆動電源及び制御信号を供給するものである。この第１フレキシブルプリント配線板２２は、一方側の端子部が第１ピエゾモーター２３に接続して、他端側が電源及び制御部（図示せず）に接続している。
【００３９】
次に、第１レンズ群保持枠駆動装置２による第１レンズ群保持枠１１の駆動方法を説明する。まず、電源及び制御部から、第１フレキシブルプリント配線板２２を介して、各ピエゾ素子２３３に駆動電源及び制御信号が供給される。これにより、各ピエゾ素子２３３が振動して、リードスクリュー２３１が正逆方向に回転する。このリードスクリュー２３１の回転によって、ナット２３２はリードスクリュー２３１上を移動する。これに伴って第１ピエゾモーター保持部材２４が光軸方向Ａに移動するとともに、第１レンズ群保持枠１１が、第１ガイドポール２０に沿って光軸方向Ａにスライド移動する。
【００４０】
一方、第１レンズ群保持枠移動距離測定装置５は、第１レンズ群保持枠１１の移動距離を測定して、当該移動距離を第１レンズ群の移動距離とする装置である。この第１レンズ群保持枠移動距離測定装置５は、図３に示すように、前述した第１エンコーダースケール５１と、第１光センサ５２と、第１インタラプター５３と、制御部（図示せず）とを備えている。
【００４１】
第１光センサ５２は、第１エンコーダースケール５１に光を照射して光の変化を検出し、これを信号（検出信号）に変換して外部へ送るものである。この第１光センサ５２は、第１フレキシブルプリント配線板２２の右側に配置されている。具体的には、第１光センサ５２は、図４に示すように、第１フレキシブルプリント配線板２２の右側に配置されたフレキ基板２００において、第１エンコーダースケール５１と対向して設けられている。そして、この第１光センサ５２は、発光部５２ａと、受光部５２ｂとを備えている。発光部５２ａは、第１エンコーダースケール５１のスケール面５１ａに光を照射するように構成されている。また、受光部５２ｂは、前記スケール面５１ａからの反射光を受けるように構成されている。
【００４２】
また、第１インタラプター５３は、第１レンズ群保持枠１１の移動距離を測定する際に、その基準位置を決めるものである。この第１インタラプター５３は、図３に示すように、第１フレキシブルプリント配線板２２の後方側に配置されている。そして、第１インタラプター５３は、第１エンコーダースケール５１の後方側の所定の部位でスイッチが切られるように構成されている。
【００４３】
また、制御部は、第１光センサ５２に接続されている。そして、この制御部は、第１光センサ５２から送られた検出信号に基づいて、第１レンズ群保持枠１１の移動距離を求めるように構成されている。
【００４４】
次に、第１レンズ群保持枠移動距離測定装置５による第１レンズ群保持枠１１の測定方法を説明する。まず、第１レンズ群保持枠１１を結像側へ絞り込んで行き、第１エンコーダースケール５１の所定の部位が、第１インタラプター５３のスイッチを切った所を基準位置とする。そして、第１光センサ５２は、発光部５２ａから第１エンコーダースケール５１のスケール面５１ａの所定位置に光を照射する。
【００４５】
そして、第１レンズ群保持枠１１のスライド移動と同時に第１エンコーダースケール５１がスライド移動する。これに伴い、スケール面５１ａの縦縞模様は、スケール面５１の所定位置に照射された光を横切る。このとき、第１光センサ５２は、反射光を受光部５２ｂで受ける。そして、第１光センサ５２は、受光部５２ｂで受けた反射光の光の変化を検出信号に変換し、この検出信号を制御部に送る。制御部は、第１光センサ５２から送られた検出信号から第１レンズ群保持枠１１の移動距離を求めて、これにより第１レンズ群の移動距離を得る。
【００４６】
一方、図２に示すように、第２レンズ群保持枠駆動装置３は、第２レンズ群保持枠１２を駆動する装置である。この第２レンズ群保持枠駆動装置３は、第２ガイドポール３０と、第２駆動手段３１と、第２フレキシブルプリント配線板３２とを備えている。
【００４７】
第２ガイドポール３０は、第２レンズ群保持枠１２を光軸方向Ａに移動可能に支持する部材である。この第２ガイドポール３０は、細長い丸棒状に形成されている。そして、この第２ガイドポール３０は、第２ガイド部材１５に挿通して、光軸Ｌと平行に配置されている。また、この第２ガイドポール３０には、第２ガイド部材１５よりも結像側に、スプリング３０ａが挿通されている。このスプリング３０ａは、第２レンズ群保持枠１２を常に被写体側に付勢するように構成されている。
【００４８】
一方、第２駆動手段３１は、第２ピエゾモーター３３と、第２ピエゾモーター保持部材３４とを備えている。第２ピエゾモーター３３は、リードスクリュー３３１と、ナット３３２と、四枚のピエゾ素子３３３とを備えている。
【００４９】
リードスクリュー３３１は、光軸Ｌと平行に配置されている。また、ナット３３２は、リードスクリュー３３１に螺合されている。また、四枚のピエゾ素子３３３は、ナット３３２の外周部に設けられている。
【００５０】
また、第２ピエゾモーター保持部材３４は、第２ピエゾモーター３３から出力される駆動力を利用して第２レンズ群保持枠１２を移動させる部材である。この第２ピエゾモーター保持部材３４は、第２ガイド部材１５を介して第２レンズ群保持枠１２に結合されている。
【００５１】
また、この第２ピエゾモーター保持部材３４は、光軸方向Ａに長く形成されている。さらに、この第２ピエゾモーター保持部材３４は、被写体側（または結像側）から視て逆略凹字状に形成されている。そして、第２ピエゾモーター保持部材３４の内部には、第２ピエゾモーター３３が収容されて固定されている。具体的には、第２ピエゾモーター保持部材３４の内壁面３４ａに、第２ピエゾモーター３３の各ピエゾ素子３３３を介してナット３３２が固定されている。
【００５２】
また、図３に示すように、この第２ピエゾモーター保持部材３４の右側面には、第２エンコーダースケール６１が設けられている。この第２エンコーダースケール６１は、第２レンズ群保持枠１２（第２レンズ群）の移動距離を測定するために使用されるものである。
【００５３】
そして、この第２エンコーダースケール６１は、移動軌道Ｔ（光軸Ｌ）に平行に配置されている。この第２エンコーダースケール６１の右側には、板状のスケール面６１ａが貼着されている。このスケール面６１ａは、移動軌道Ｔと平行になるように前後に延在している。また、スケール面６１ａの前後方向の長さは、第２レンズ群保持枠１２（第２レンズ群）の移動距離よりも長く設定されている。また、このスケール面６１ａは、照射された光を反射するように構成されている。具体的には、このスケール面６１ａは、白黒の縦縞模様（白黒の反射パターン）を有している。この縦縞模様のピッチは、第２レンズ群保持枠１２の移動距離の測定精度に応じて設定されている。
【００５４】
そして、第２フレキシブルプリント配線板３２は、第２ピエゾモーター３３に制御信号及び駆動電源を供給するものである。この第２フレキシブルプリント配線板３２は、一方側の端子部が第２ピエゾモーター３３に接続して、他端側が電源及び制御部（図示せず）に接続している。
【００５５】
次に、第２レンズ群保持枠駆動装置３による第２レンズ群保持枠１２の駆動方法を説明する。まず、電源及び制御部から、第２フレキシブルプリント配線板３２を介して、各ピエゾ素子３３３に駆動電源及び制御信号が供給される。これにより、各ピエゾ素子３３３が振動して、リードスクリュー３３１が正逆方向に回転する。このリードスクリュー３３１の回転により、ナット３３２がリードスクリュー３３１上を移動する。これに伴って第２ピエゾモーター保持部材３４が光軸方向Ａに移動するとともに、第２レンズ群保持枠１１が、第２ガイドポールに沿って光軸方向Ａにスライド移動する。そして、第２フレキシブルプリント配線板３２の湾曲部３２２は、第２ピエゾモーター保持部材３４の移動に伴って光軸方向Ａに撓まる。
【００５６】
一方、第２レンズ群保持枠移動距離測定装置６は、第２レンズ群保持枠１２の移動距離を測定して、当該移動距離を第２レンズ群の移動距離とする装置である。この第２レンズ群保持枠移動距離測定装置６は、図３に示すように、前述した第２エンコーダースケール６１と、第２光センサ６２と、第２インタラプター６３と、制御部（図示せず）とを備えている。
【００５７】
第２光センサ６２は、第２エンコーダースケール６１に光を照射して光の変化を検出し、これを信号（検出信号）に変換して外部へ送るものである。この第２光センサ６２は、第２フレキシブルプリント配線板３２の右側に配置されている。具体的には、第２光センサ６２は、図４に示すように、第２フレキシブルプリント配線板３２の右側に配置されたフレキ基板２００において、第２エンコーダースケール６１と対向して設けられている。そして、この第２光センサ６２は、発光部６２ａと、受光部６２ｂとを備えている。発光部６２ａは、第２エンコーダースケール６１のスケール面６１ａに光を照射するように構成されている。また、受光部６２ｂは、前記スケール面６１ａからの反射光を受けるように構成されている。
【００５８】
また、第２インタラプター６３は、第２レンズ群保持枠１２の移動距離を測定する際に、その基準位置を決めるものである。この第２インタラプター６３は、図３に示すように第２フレキシブルプリント配線板３２の後方側に配置されている。そして、第２インタラプター５３は、第２エンコーダースケール６１の後方側の所定の部位で、スイッチが切られるように構成されている。
【００５９】
また、制御部は、第２光センサ６２に接続されている。そして、この制御部は、第２光センサ６２から送られた検出信号に基づいて、第２レンズ群保持枠１２の移動距離を求めるように構成されている。
【００６０】
次に、第２レンズ群保持枠移動距離測定装置６による第１レンズ群保持枠１２の測定方法を説明する。まず、第２レンズ群保持枠１２を結像側へ絞り込んで行き、第２エンコーダースケール６１の所定の部位が、第２インタラプター６３のスイッチを切った所を基準位置とする。第２エンコーダースケール６１は、第２インタラプター６３に当接される。この状態が、基準位置になる。そして、第２光センサ６２は、発光部６２ａから第２エンコーダースケール６１のスケール面６１ａの所定位置に光を照射する。
【００６１】
そして、第２レンズ群保持枠１２のスライド移動と同時に第２エンコーダースケール６１がスライド移動する。これにより、スケール面６１ａの縦縞模様は、スケール面６１の所定位置に照射された光を横切る。このとき、第２光センサ６２は、反射光を受光部６２ｂで受ける。そして、第２光センサ６２は、受光部６２ｂで受けた反射光の光の変化を検出信号に変換し、この検出信号を制御部に送る。制御部は、第２光センサ６２から送られた検出信号から第２レンズ群保持枠１２の移動距離を求めて、これにより第２レンズ群の移動距離を得る。
【００６２】
かかる構成において、本実施の形態のレンズ群保持枠移動距離測定装置５、６では、エンコーダースケール５１、６１を移動させながら、レンズ群保持枠１１、１２の移動距離を測定するように構成した。これにより、本実施の形態のレンズ群保持枠移動距離測定装置５、６では、レンズ群保持枠１１、１２のような移動する部材に光センサ５２、６２を設ける必要がない。このため、光センサ５２、６２と制御部とを繋ぐ配線の長さを抑えることができる。よって、本実施の形態のレンズ群保持枠移動距離測定装置５、６は、省スペース化を図ることができる。また、光センサ５２、６２は、移動する部材からの振動の影響を受けない。このため、本実施の形態のレンズ群保持枠移動距離測定装置５、６は、長期間使用しても、光センサ５２、６２が故障するおそれが少ない。よって、本実施の形態のレンズ群保持枠移動距離測定装置５、６は、耐久性を高めることができる。
【００６３】
また、本実施の形態のレンズ群保持枠移動距離測定装置５、６によって、レンズ駆動装置１及びカメラモジュール１０２（図１参照）は、小型化を図るとともに耐久性を高めることもできる。さらに、本実施の形態の携帯電話１０１は、このカメラモジュール１０２を備えたことによって、従来のカメラモジュール（レンズ駆動装置）を備えた携帯電話に比べて、小型化（薄型化）を図るとともに耐久性を高めることもできる。
【００６４】
なお、本実施の形態のレンズ群保持枠移動距離測定装置５、６では、検出手段として光センサ（光学的検出手段）５２、６２を用いたが、他の検出手段を用いても良い。また、エンコーダースケールは、使用する検出手段の種類に合わせて構成される。
【００６５】
なお、本実施の形態では、携帯電話に本件発明を使用した場合について説明したが、デジタルカメラ等の他の撮像装置に本件発明を使用しても良い。特に、本件発明の移動距離測定装置は、長期間使用される撮像装置や、レンズ駆動装置の設置スペースが制限されるような撮像装置に対する使用に適している。
【００６６】
また、本件発明の移動距離測定装置は、その用途を撮像装置に限定する必要はない。つまり、本件発明の移動距離測定装置は、エンコーダースケール及び検出手段を用いて被駆動物の移動距離を測定する装置であれば、用途に関係なく使用できる。
【産業上の利用可能性】
【００６７】
以上説明したように、本件発明の移動距離測定装置は、省スペース化を図りつつ耐久性を高めることができる。したがって、本件発明は、エンコーダースケール及び検出手段を用いて被駆動物の移動距離を測定する技術分野において十分に利用することができる。
【図面の簡単な説明】
【００６８】
【図１】本件発明の一実施の形態を示す携帯電話の外観図である。
【図２】同実施の形態を示すレンズユニットの斜視図である。
【図３】同実施の形態において、第１レンズ群保持枠移動距離測定装置及び第２レンズ群保持枠移動距離測定装置を示す斜視図である。
【図４】同実施の形態において、第１レンズ群保持枠移動距離測定装置及び第２レンズ群保持枠移動距離測定装置の光センサとインタラプターを示す斜視図である。
【符号の説明】
【００６９】
１    レンズ駆動装置
５    第１レンズ群保持枠移動距離測定装置
６    第２レンズ群保持枠移動距離測定装置
１１    第１レンズ群保持枠
１２    第２レンズ群保持枠
２１    第１駆動手段
３１    第２駆動手段
５１    第１エンコーダースケール
５１ａ    スケール面
５２    第１光センサ
５２ａ    発光部
５２ｂ    受光部
６１    第２エンコーダースケール
６１ａ    スケール面
６２    第２光センサ
６２ａ    発光部
６２ｂ    受光部
Ｔ      レンズ群保持枠の移動軌跡
【図１】
2008164502.tif 000003
【図２】
2008164502.tif 000004
【図３】
2008164502.tif 000005
【図４】
2008164502.tif 000006